(57)【要約】      （修正有）【課題】幼児に対しても安全なロック機能を有し、ロック解除時の着火や着火状態の維持を楽に行うライターを提供する。【解決手段】ライター１は、折り畳み可能な操作レバー２、３と、折り畳んだ状態の前記操作レバーをロックするロック部１１と、開いた状態の前記操作レバー２、３の動作により着火する着火部６と、を備えることを特徴とする。【選択図】図１
0003180206.tif 000002
【実用新案登録請求の範囲】
【請求項１】
折り畳み可能な操作レバーと、
折り畳んだ状態の前記操作レバーをロックするロック部と、
開いた状態の前記操作レバーの動作により着火する着火部と、
を備えることを特徴とするライター。
【請求項２】
請求項１に記載のライターであって、
前記操作レバーを、折り畳み状態に付勢する付勢部材を備えることを特徴とするライター。
【請求項３】
請求項１又は２に記載のライターであって、
前記ロック部は、爪で引っ掛ける形状又は突起が嵌合する形状を備えていることを特徴とするライター。
【請求項４】
請求項１ないし３のいずれか一項に記載のライターであって、
前記ロック部は、前記操作レバーを折り畳み状態に引き付ける磁石を備えていることを特徴とするライター。
【請求項５】
請求項１ないし４のいずれか一項に記載のライターであって、
前記着火部は、電子式であることを特徴とするライター。
【請求項６】
請求項１ないし５のいずれか一項に記載のライターであって、
前記操作レバーは、開いた状態での押し下げ動作に伴い、スライド移動して前記着火部の着火ボタンを押し下げるスライド部材を備えることを特徴とするライター。
【請求項７】
請求項６に記載のライターであって、
前記ロック部は、当該ライターの本体に係止し前記スライド部材のスライド移動を抑止する引っかかり形状であることを特徴とするライター。
【考案の詳細な説明】
【技術分野】
【０００１】
本考案は、ライターに関する。
【背景技術】
【０００２】
現在、対象物に着火するライターは、喫煙用からストーブやコンロ用、花火用、ローソクや線香、焚き火の火付け用など、用途に応じた様々な種類のものが普及している。いずれの種類にしても、力の弱い女性や高齢者などが楽に着火することができる形態が望まれている。
【０００３】
一方、幼児の誤使用による事故や火災を防ぐため、ライターにチャイルドレジスタンス機能を備えることが必須となっている。チャイルドレジスタンス機能とは、幼児による点火操作を困難にする機能のことを指す。例えば着火するための着火レバーの操作を重くして、一定以上の力を加えないと着火することができなくする機能や、着火レバーの操作の前に、ロック解除など他の操作を必要とするような機能のことをいう。
【０００４】
着火レバーの操作の前に、ロック解除を必要とする技術については、次のような技術が既に知られている。例えば特許文献１には、発電部材を押し下げることによってノズルから燃料を噴出し、その燃料に放電して着火する電子式のライター、又は、ヤスリ車を回転すると共にレバーを押し下げることによってノズルから燃料を噴出し、その燃料にヤスリ車と石との摩擦によって発生する火花で着火するライターに於いて、押し下げる発電部材又はレバー等の可動部材にストツパー部を設け、このストツパー部に係止部材を当てて可動部材がライターを着火させるまで動かないように係止する技術が開示されている。
【０００５】
また、特許文献２には、ケーシングと、このケーシング内に配設された燃料を収容する燃料収容部と、この燃料収容部に連通するガス噴射ノズルと、このガス噴射ノズルを開放させてガスを噴射させつつ、噴射ガスにスパークさせて着火させる発火用ボタンと、前記スパークを生じさせる放電ユニットとを有する電子式ライターにおいて、噴射ガスにスパークさせて着火させる前記発火用ボタンは、前記ケーシングに軸着したレバーの端部に設けられており、該レバーはその軸着部分の近傍で上下に移動可能な前記放電ユニットの頭部を押圧するようになっており、また前記レバーの上面に分岐して形成した規制用弾性片は、前記ケーシングに取り付けたキャップの前記レバーのガイド孔上端に当接して、常態では前記放電ユニットの放電許容位置まで前記レバーを復帰させないようにするとともに、前記レバーを前記規制用弾性片の弾性に抗して押し上げることにより、前記放電ユニットが放電許容位置に復帰する技術が開示されている。
【０００６】
さらに、特許文献３には、ケーシングと、このケーシング内に配設された燃料を収容する燃料収容部と、この燃料収容部に連通するガス噴射ノズルと、このガス噴射ノズルを開放させてガスを噴射させつつ、噴射ガスにスパークさせて着火させるスライド式発火用部材と、前記スパークを生じさせる放電ユニットとを有する電子式ライターにおいて、噴射ガスにスパークさせて着火させる前記スライド式発火用部材は、前記ケーシングに軸着したスライドパーツと、該スライドパーツの上面から該スライドパーツのスライド方向側壁にかけて取り付けられた弾性ロックパーツで構成される技術が開示されている。
【先行技術文献】
【特許文献】
【０００７】
【特許文献１】特開平０７−１６７４３０号公報
【特許文献２】登録実用新案第３１６３４０２号公報
【特許文献３】登録実用新案第３１６４５７２号公報
【考案の概要】
【考案が解決しようとする課題】
【０００８】
しかし、例えば特許文献１に開示された技術においては、ロックを解除するためにライター本体を素早く振ると同時に傾ける操作を行う必要があり、俊敏な動作を苦手とする高齢者等には困難を伴う。特許文献２及び特許文献３に開示された技術においては、ロックの解除には細かい手作業を必要とする。また、いずれの技術においても、力の弱い女性や高齢者等が楽に着火を行いたいという要望には応えられていない。
【０００９】
本考案は、上記の点に鑑みてなされたものであって、幼児に対しても安全なロック機能を有し、ロック解除時の着火や着火状態の維持を楽に行うライターの提供を目的とする。
【課題を解決するための手段】
【００１０】
上記課題を解決するために、本考案のライターは、折り畳み可能な操作レバーと、折り畳んだ状態の前記操作レバーをロックするロック部と、開いた状態の前記操作レバーの動作により着火する着火部と、を備えることを特徴とする。
【００１１】
また、本考案のライターは、前記操作レバーを、折り畳み状態に付勢する付勢部材を備えることを特徴としてもよい。
【００１２】
また、本考案のライターにおけるロック部は、爪で引っ掛ける形状又は突起が嵌合する形状を備えていることを特徴としてもよい。
【００１３】
また、本考案のライターにおけるロック部は、操作レバーを折り畳み状態に引き付ける磁石を備えていることを特徴としてもよい。
【００１４】
また、本考案のライターにおける着火部は、電子式であることを特徴としてもよい。
【００１５】
また、本考案のライターにおける操作レバーは、開いた状態での押し下げ動作に伴い、スライド移動して前記着火部の着火ボタンを押し下げるスライド部材を備えることを特徴としてもよい。
【００１６】
また、本考案のライターにおけるロック部は、当該ライターの本体に係止し前記スライド部材のスライド移動を抑止する引っかかり形状であることを特徴としてもよい。
【考案の効果】
【００１７】
本考案によれば、幼児に対しても安全なロック機能と、使用者のロック解除時の着火や着火状態の維持を楽に行うライターを提供することができる。
【図面の簡単な説明】
【００１８】
【図１】第１の実施形態におけるライターの外観を示した図である。
【図２】第１の実施形態におけるライターの使用例を示す図である。
【図３】第１の実施例におけるライターの着火を説明するための図である。
【図４】第１の実施形態におけるライターの第１の変形例を示す図である。
【図５】第１の実施形態におけるライターの第２の変形例を示す図である。
【図６】第１の実施形態におけるライターの第３の変形例を示す図である。
【図７】第２の実施形態におけるライターの使用例を示す図である。
【図８】第２の実施形態におけるライターの使用例を示す図である。
【考案を実施するための形態】
【００１９】
以下、本考案の各実施形態の例について図面を用いて説明する。
【００２０】
＜第１の実施形態＞
図１は、第１の実施形態におけるライターの外観を示した図である。図１(a)は、本実施形態におけるライター１の上面図であり、図１(b)はライター１の平面図である。ライター１は放電式の着火装置を用いた電子式ライターである。尚、以下の説明においては、便宜上、本実施の形態の説明に必要な構成要素が示されている。
【００２１】
図１(b)に示すように、ライター１は、操作レバーである上レバー２及び下レバー３、押下金具４、板バネ５、着火装置６、タンク７、ノズル８、ケース９、支点軸１０、ロック部１１、ねじりバネ１２、支点１３を備える。
【００２２】
操作レバーである下レバー３と上レバー２とは、ライター１の着火動作を行うためのスライド式の操作部材である。下レバー３と上レバー２とは、支点軸１０を支点とするようにケース９に設けられている。上レバー２が支点軸１０を支点として、図１(b)に示す右側方向に開くよう構成するが、詳しくは後述する。上レバー２を開いた後に押下することにより、下レバー３が図１(b)に示す右側方向にスライドし、下レバー３のスライドによってノズル８が開放され、タンク７に入っている燃料がノズル８から噴出するとともに、着火装置６から放電し、燃料に着火して火がつく。
【００２３】
上レバー２は、ロック部１１によって下レバー３に固定されるよう構成され、上レバー２に対し上方向に力を加えることにより、ロックが解除される。ロック部１１は、下レバー３及び上レバー２に設けられた凸部と凹部とが嵌まり込むことによりロックされるように構成される。
【００２４】
下レバー３と上レバー２とは、ねじりバネ１２により支点軸１０を支点にお互いが閉じる方向に取り付けられている。ねじりバネ１２は上レバー２を下レバー３に対し閉じる方向に付勢する付勢部材である。下レバー３には押下金具４が支点１３を軸として双方向に回転するようにケース９に設けられている。また、上レバー２から手を離すと、板バネ５によって、下レバー３が図１(b)の状態に復帰するよう構成される。
【００２５】
上レバー２を下レバー３から引き離し、開いた状態で押下すると、下レバー３がスライドして着火するが、その後上レバー２から手を離すと、ねじりバネ１２の弾性で、上レバー２が支点軸１０を支点として下レバー３の上に重なるように戻り、同時にロック部１１がロックされる。それとともに、スライドしていた下レバー３が板バネ５の弾性によってケース９の真上に戻り、着火前の状態に復帰する。
【００２６】
なお、ライター１は、ねじりバネ１２を有さない構成としてもよい。この場合、着火後に使用者が手動で上レバー２を下レバー３上に戻し、ロック部１１をロックさせることとしてもよい。
【００２７】
次に、第１の実施形態において、着火のために上レバー２を開いた状態について説明する。図２は、第１の実施形態におけるライターの使用例を示す図である。図２(a)は、ライター１の上レバー２を開いた平面図であり、図２(b)は上レバー２をさらに開いた平面図である。図２(c)は、図２(b)の使用例におけるライター１の上面図である。
【００２８】
図２(a)に示すように、下レバー３はストッパー部２１を、上レバー２は突起部３１を備える。ロック部１１を外し、上レバー２を支点軸１０を支点として矢印方向（右下斜め方向）に回転させて開く。
【００２９】
さらに上レバー２を開くと、図２(b)に示すように、突起部３１がストッパー部２１に接触する。この時点で、上レバー２に対し下方向へ力を加えると、突起部３１がストッパー部２１を押し上げる。これにより、下レバー３が右方向にスライドするとともに、下レバー３に設けられた押下金具４が、支点１３を支点として着火装置６の着火ボタンを押下する方向へと動く。
【００３０】
図２(c)に示すように、上レバー２の押下によって下レバー３が右方向へスライドしていることが、上面から見て取れる。また、ロック部１１は、下レバー３に設けられた凸部と上レバー２に設けられた凹部とが嵌まり込むよう構成される。
【００３１】
なお、ロック部１１は、本構成のように突起が嵌合する構成に限定されず、例えば爪で引っ掛ける形状であってもよい。下レバー３と上レバー２とが折り畳んだ状態で固定される構成であればよいことは、いうまでもない。
【００３２】
次に、図２(b)に引き続き上レバー２を押下した状態について説明する。図３は、第１の実施例におけるライターの着火を説明するための図である。上レバー２が親指に押下されることによって下レバー３が右側方向へスライドし、押下金具４が着火装置６を押下すると、噴出している燃料に着火し火がつく。
【００３３】
ライター１は、てこの原理により軽い力で火を着けることができる。中指を支点とし、親指と上レバー２との接触点を作用点としており、折りたたんだ上レバー２を開き、支点と力点との距離Ｌを大きくとることで、軽い力で着火装置６に対し作用し、着火することができる。
【００３４】
本実施形態によれば、ライター１に着火する場合には、ロック部１１を外し、折り畳んだ操作レバー（上レバー２）を開く動作が必要になる。着火のために複数の手順を必要とすることにより、幼児による誤操作の確率を減らす効果がある。
【００３５】
また、仮に幼児がロック部１１を解除したとしても、距離Ｌが長くなることで、手の小さい幼児には操作が困難になる。さらに幼児にとっては、延びた上レバー２を押下するよりも、上レバー２を横方向に動かす可能性が高くなり、着火に至りにくいという利点がある。
【００３６】
なお、本実施形態では、上レバー２を下レバー３に対し閉じた状態であっても、上レバー２又は下レバー３に対し図２(a)に示す左側から右方向へ力を加えることにより、下レバー３がスライドし、着火することができる。ただしこの場合、レバーには幼児が操作困難となる程度の力を必要とするよう構成することが望ましい。
【００３７】
＜第１の変形例＞
次に、第１の実施形態における第１の変形例について説明する。図４は、第１の実施形態におけるライターの第１の変形例を示す図である。第１の変形例は、ロック部について、下レバー３が備える凹部に対し、上レバー２が備える凸部が嵌まり込むロック部１１ａと、上レバー２の一端が下レバー３を覆うように延びるロック部１１ｂとを備える点を特徴とする。
【００３８】
第１の変形例におけるライター１に着火する際には、ロック部１１ａについて上レバー２の凸部を下レバー３の凹部から外す動作だけでなく、ロック部１１ｂを垂直に持ち上げて外す操作が必要となる。複数のロック機能を兼ね備えることで、幼児が誤って着火することをより確実に防ぐことができる。
【００３９】
＜第２の変形例＞
次に、第１の実施形態における第２の変形例について説明する。図５は、第１の実施形態におけるライターの第２の変形例を示す図である。第２の変形例は、ロック部１１を磁石によってロックするよう構成する。
【００４０】
図５(a)は、第２の変形例におけるライター１の上面図であり、図５(b)は第２の変形例におけるライター１の平面図である。ライター１は、ロック部として、上レバー２に磁石１１ｃと、下レバー３に磁石１１ｃと引き合う磁性体１１ｄを備える。例えば、磁石１１ｃはネオジム磁石であり、磁性体１１ｄは鉄である。下レバー３と上レバー２は、磁石の引力によって閉じた状態が固定される。なお、１１ｃと１１ｄについては、どちらを磁石、磁性体としてもよく、双方とも磁石で構成することとしてもよい。
【００４１】
また、上述の実施形態において説明した突起の嵌合によるロック機構を併せて備えてもよい。着火に至る手順が増えるため、幼児による誤操作をより確実に防ぐことができることに加え、磁石の力で勢いよく閉じるため、使用者が突起を嵌め合せる行為を容易にすることができる。
【００４２】
＜第３の変形例＞
次に、第１の実施形態における第３の変形例について説明する。図６は、第１の実施形態におけるライターの第３の変形例を示す図である。
【００４３】
第３の変形例におけるライター１は、ロック部１１ｅを備える。ロック部１１ｅは、ライター１のケース９に引っかかる形状で構成する点が、上述の形態とは異なる。この構成により、上レバー２が閉じた状態で、下レバー３又は上レバー２に対し図６に示す左側から右方向へ力が加えられた場合に、下レバー３が本体に対しスライドすることを防止する。これにより、より確実にライターの誤操作を防ぐことができる。
【００４４】
なお、ロック部１１ｅは下レバー３のスライドを係止する形状であれば、上述の形状に限られない。例えば、上レバー２が備える突起が下レバー３を貫いてライター１本体に引っかかり、下レバー３のスライドを防ぐなどの構成としてもよい。
【００４５】
付言すれば、ロック部１１については、上述のいずれかの方法を複数組み合わせてもよい。また、下レバー３と上レバー２とが折り畳まれた状態を維持することができれば、上述の形状、方法に限られない。
【００４６】
＜第２の実施形態＞
次に、第２の実施形態におけるライター１００について説明する。ライター１００は、下レバー３がスライドせず、上レバー２の押下により直に着火装置６が押下される点が、上述の実施形態と異なる。図７は、第２の実施形態におけるライターの使用例を示す図である。以下、第１の実施形態と異なる点について説明する。
【００４７】
ライター１００は、上レバー１０１と、下レバー１０２と、回転軸１０４と、第１の実施形態と同じ構成であるロック部１１とを備える。上レバー１０１は係止部１０３を備える。係止部１０３は、上レバー１０１と一体となって回転する。下レバー１０２は回転軸１０４を介してライター１００本体に結合している。上レバー１０１は、下レバー１０２と支点１０を介して結合している。
【００４８】
ロック部１１を外して上レバー１０１を開く。所定の角度に開いたところで、係止部１０３に下レバー１０２が引っかかり、上レバー１０１と下レバー１０２とが棒状に一体となる。さらに上レバー１０１を押下すると、棒状となったレバーが回転軸１０４を支点にして回転し、着火装置６の着火ボタンを押し下げ、着火される。
【００４９】
本実施形態によれば、第１の実施形態に比べて、上レバー１０１を押下する親指を後ろ側にずらす動作が不要となり、より着火の操作性が向上する。また、中指から親指への距離が必要な点は第１の実施形態と同様であるため、幼児には操作が困難であるという効果も有する。
【００５０】
＜第３の実施形態＞
次に、第３の実施形態におけるライター２００について説明する。図８は、第３の実施形態におけるライターの使用例を示す図である。以下、上述の実施形態と異なる点について説明する。
【００５１】
ライター２００は、上レバー２０１、下レバー２０２、支点軸２０３、ロック部２０４、グリップ部２０５を備える。未使用の状態では上レバー２０１は閉じており、使用者はロック部２０４を解除して上レバー２０１を開けると、上レバー２０１は支点軸２０３を支点として回転し、開く。
【００５２】
使用者がグリップ部２０５を握ると、開いた上レバー２０１が人差し指が掛かる位置に来るよう構成する。使用者は上レバー２０１を、トリガーを引くように操作することで、容易に着火することができる。なお、グリップ部２０５は、幼児の手による操作を困難とするよう、上レバー２０１から距離をとることが望ましい。
この構成により、使用者は親指の付け根と人差し指で握るように力を加えることで、より軽い力で着火することできる。また、着火するためにロック部２０４を解除する操作を必要とすること、及びグリップ部２０５から上レバー２０１までが離れていることから、幼児による着火を困難なものとすることができる。
【００５３】
なお、上述の各実施形態は、電子式ライターによるものであるが、着火の方法についてはこれに限られない。例えば、ヤスリと発火石を用いるフリント式等であってもよい。
【００５４】
以上、各実施形態に基づき本考案の説明を行ってきたが、上記実施形態に示した要件に本考案が限定されるものではない。これらの点に関しては、本考案の主旨をそこなわない範囲で変更することができ、その応用形態に応じて適切に定めることができる。
【００５５】
また、各実施形態は、それぞれの特徴を組み合わせることができる。上述のいずれかのライターが、他の実施形態の特徴を併せ持つものであってもよい。
【符号の説明】
【００５６】
１・・・ライター、２・・・上レバー、３・・・下レバー、４・・・押下金具、５・・・板バネ、６・・・着火装置、７・・・タンク、８・・・ノズル、９・・・ケース、１０・・・支点軸、１１・・・ロック部、１１ａ・・・ロック部、１１ｂ・・・ロック部、１１ｃ・・・磁石、１１ｄ・・・磁性体、１１ｅ・・・ロック部、１２・・・ねじりバネ、１３・・・支点、２１・・・ストッパー部、３１・・・突起部、
１００・・・ライター、１０１・・・上カバー、１０２・・・下カバー、１０３・・・係止部、１０４・・・回転軸、
２００・・・ライター、２０１・・・上カバー、２０２・・・下カバー、２０３・・・支点軸、２０４・・・ロック部、２０５・・・グリップ部
【図１】
0003180206.tif 000003
【図２】
0003180206.tif 000004
【図３】
0003180206.tif 000005
【図４】
0003180206.tif 000006
【図５】
0003180206.tif 000007
【図６】
0003180206.tif 000008
【図７】
0003180206.tif 000009
【図８】
0003180206.tif 000010